(57)【要約】【課題】歯肉への負担を増やすこと無く、フィットさせることができ、外れ難くすることができる装飾用付け歯およびその製造方法を提供する。【解決手段】装飾用付け歯１０は、歯に被さる歯部１１が連接されたものである。歯部１１は、歯冠部１１ａと歯頸部１１ｂとを備えている。歯部１１の歯頸部１１ｂは、装着者の歯肉溝Ｓまで延びている。歯頸部１１ｂが歯肉溝Ｓに挿入され、装着者の歯Ｔの歯頸部Ｔ１をしっかりと保持する。そのため、装着者の歯Ｔにフィットさせることができる。【選択図】図２
2019005469.tif 000002
【特許請求の範囲】
【請求項１】
歯に被さる歯部が連接された装飾用付け歯であって、
前記歯部の歯頸部が装着者の歯肉溝まで延びた装飾用付け歯。
【請求項２】
前記歯頸部は、装着者の歯頸部より細く形成された請求項１記載の装飾用付け歯。
【請求項３】
前記歯頸部は、他の部分より薄く形成された請求項１または２記載の装飾用付け歯。
【請求項４】
前記歯部は、臼歯以外の歯に被せるものである請求項１から３のいずれかの項に記載の装飾用付け歯。
【請求項５】
前記歯部は、装着者の欠損歯を復元した形状に形成された請求項１から４のいずれかの項に記載の装飾用付け歯。
【請求項６】
前記歯部には、装着者の損失歯に対応する位置に歯を模したダミー部が連接された請求項１から５のいずれかの項に記載の装飾用付け歯。
【請求項７】
前記歯部は、装着者の歯より長く形成された請求項１から６のいずれかの項に記載の装飾用付け歯。
【請求項８】
歯に被さる歯部が連接された装飾用付け歯の製造方法であって、
前記装飾用付け歯を装着する装着者から採得した歯型模型に歯肉溝を形成する工程と、
前記歯型模型の歯型形状を、歯科用材料に転写する工程と、
前記装着者の歯肉溝まで延びた歯頸部が形成された歯部以外の部分を除去する工程とを含む装飾用付け歯の製造方法。
【発明の詳細な説明】
【技術分野】
【０００１】
本発明は、装着者の歯列に被せることで審美性を向上させることができる装飾用付け歯およびその製造方法に関するものである。
【背景技術】
【０００２】
歯は表面層がエナメル質であり、その内側が象牙質である。エナメル質は白色であるが半透明であるため、黄色を帯びた象牙質が透過して見えるので、歯は全体的に薄い黄色に見える。人によってはかなり黄ばんだ状態に見えることがあるため、他人からの好印象を得ようとして、ホワイトニングと称される歯を白くする治療を受けることがある。
ホワイトニングは、何度も歯科医師に通う必要があったり、希望通りに白くならないことがあったりして、治療を受けることについて決断し難い面がある。
【０００３】
簡単に歯の審美性を向上させることができるものとして、特許文献１，２に記載された従来の装飾用付け歯が知られている。
特許文献１の歯科用器具は、歯列弓を形成する複数の中空の歯を備え、各中空の歯が、外側表面および内側表面を備えており、複数の中空の歯の選択された歯が、前方から後方に進むにつれてより厚い壁を有するものである。
【０００４】
特許文献２の審美的歯列包囲装置は、厚さが０．１ミリ〜５ミリの歯科材料で各個人の臨床印象模型を基に天然歯列を模したマウスピースであり、歯を白く見せる審美的な要素を有し、着脱可能としたものである。
【先行技術文献】
【特許文献】
【０００５】
【特許文献１】特表２００９−５０８６３２号公報
【特許文献２】実用新案登録第３１８３１６３号公報
【発明の概要】
【発明が解決しようとする課題】
【０００６】
しかし、特許文献１，２に記載の従来の装飾用付け歯では、歯列に沿って形成された溝を装着者のそれぞれの歯に被せるだけなので、装着しても簡単に外れてしまうおそれがある。装飾用付け歯を歯肉まで覆うように形成すれば接触面積が増えて、外れ難くすることができるが、装飾用付け歯と歯肉とが擦れ、不快感が増してしまう。
【０００７】
そこで本発明は、歯肉への負担を増やすこと無く、フィットさせることができ、外れ難くすることができる装飾用付け歯およびその製造方法を提供することを目的とする。
【課題を解決するための手段】
【０００８】
本発明は、歯に被さる歯部が連接された装飾用付け歯であって、前記歯部の歯頸部が装着者の歯肉溝まで延びたことを特徴とする。
【０００９】
本発明の装飾用付け歯によれば、装着者の歯の歯頸部に、歯肉溝まで延びた歯部の歯頸部が接触することで、本発明の装飾用付け歯の歯部がしっかりと装着者の歯を保持するので、本発明の装飾用付け歯を歯から外れ難くすることができる。また、本発明の装飾用付け歯の歯頸部が歯肉溝まで延びるように形成されていても、歯肉の歯肉溝が、歯頸部が挿入される空間となるため、本発明の装飾用付け歯の歯頸部が歯肉を押圧しない。
【００１０】
前記歯頸部が、装着者の歯頸部より細く形成されているため、歯部の歯頸部が装着者の歯の歯頸部をしっかりと保持させることができる。
【００１１】
前記歯頸部が、他の部分より薄く形成されているため、撓みやすくすることができるので、脱着が容易である。
【００１２】
前記歯部を、臼歯以外の歯に被せるものとすることで、咀嚼の邪魔にならないため、食事を取ることができる。
【００１３】
前記歯部を、装着者の欠損歯を復元した形状に形成したり、前記歯部には、装着者の損失歯に対応する位置に歯を模したダミー部が連接されていたりすることで、良好な歯並びとすることができる。
【００１４】
前記歯部が、装着者の歯より長く形成されていることで、仮装に使用することができる。
【００１５】
本発明の装飾用付け歯は、歯に被さる歯部が連接された装飾用付け歯の製造方法であって、前記装飾用付け歯を装着する装着者から採得した歯型模型に歯肉溝を形成する工程と、前記歯型模型の歯型形状を、歯科用材料に転写する工程と、前記装着者の歯肉溝まで延びた歯頸部が形成された歯部以外の部分を除去する工程とを含むことを特徴とする装飾用付け歯の製造方法により製造することができる。
【発明の効果】
【００１６】
本発明によれば、歯肉溝まで延びた歯部の歯頸部が、歯頸部が挿入される空間となる装着者の歯の歯頸部に、歯肉を押圧しない状態で、しっかりと保持する。従って、本発明は、歯肉への負担を増やすこと無く、フィットさせることができ、外れ難くすることができる。
【図面の簡単な説明】
【００１７】
【図１】本発明の実施の形態に係る装飾用付け歯を示す斜視図である。
【図２】図１に示す装飾用付け歯を装着者に装着した状態の断面図である。
【図３】図１に示す装飾用付け歯を作製する歯型模型を説明するための図であり、（Ａ）は装着者から印象採得して製作された歯型模型の一部断面図、（Ｂ）は歯肉溝が切削された状態の一部断面図、（Ｃ）は歯頸部を僅かに切削して細くした状態の一部断面図および一部拡大図である。
【図４】歯型模型の一部断面図であり、（Ａ）は欠損歯を示す図、（Ｂ）は損失歯を示す図である。
【図５】歯型模型の一部断面図であり、歯部を延長することを説明するための図である。
【発明を実施するための形態】
【００１８】
本発明の実施の形態に係る装飾用付け歯を図面に基づいて説明する。
図１に示す装飾用付け歯１０は、上顎の左右１番から４番までとなる前歯部（中切歯、側切歯、犬歯）と第一小臼歯とに被せることで、装着者の審美性を向上させる、天然歯列を模したマウスピースである。装飾用付け歯１０の色は、例えば、シェードガイドのＡ１とすることができる。
【００１９】
図１および図２に示す装飾用付け歯１０は、歯列をなす歯Ｔに被さる中空の歯部１１が連接されている。装飾用付け歯１０は、溝１１ｓが歯列に沿って形成されている。歯部１１は、歯冠部１１ａと歯頸部１１ｂとを備えている。
歯部１１は、歯頸部１１ｂが装着者の歯肉溝Ｓまで延びるように形成されている。また、歯頸部１１ｂは、装着者の歯頸部Ｔ１より細く形成されている。
更に、歯頸部１１ｂは、歯部１１の他の部分より薄く形成されている。本実施の形態では、歯頸部１１ｂが端に向かうに従って徐々に薄くなるように形成されている。
【００２０】
このような装飾用付け歯１０は、次のような各工程にて製造される。
まず、装着者となる者の歯型形状から印象材により印象を採得して凹型を作製する。そして、凹型に石膏を流し込み固化させ、図３（Ａ）に示すような石膏模型による歯型模型Ｍを作製する。
【００２１】
このように装着者から採得した歯型模型Ｍにおける歯Ｍ１の歯頸部Ｍ２が位置する歯肉Ｍ３部分を彫り込み、図３（Ｂ）に示す歯肉溝Ｍ４を形成する。本実施の形態では、歯肉溝Ｍ４を０．１ｍｍほど彫り込んで形成している。
図２に示すように、装着者の歯頸部Ｔ１の周囲には歯肉Ｇとの間の空間である歯肉溝Ｓがあるが、歯肉溝Ｓは僅かな溝であるため、歯型模型Ｍでは図３（Ａ）に示すように歯肉溝が現れない。しかし、図３（Ａ）に示す歯Ｍ１の歯頸部Ｍ２が位置する歯肉Ｍ３部分を彫り込み、図３（Ｂ）に示す歯肉溝Ｍ４を形成することにより、歯型模型Ｍに歯肉溝Ｍ４を再現することができる。
【００２２】
次に、図３（Ｃ）に示すように、歯型模型Ｍの歯Ｍ１における歯頸部Ｍ２を切削して細くする。本実施の形態では、歯頸部Ｍ２を０．５ｍｍ〜０．６ｍｍほど切削している。
【００２３】
そして、歯型模型Ｍの歯型形状を、装飾用付け歯１０となる歯科用材料に転写する。歯科用材料は、熱可塑性樹脂により形成された樹脂板とすることができる。
この転写は、矯正に用いられるアライナー、顎関節症の治療に用いられるスプリント、歯ぎしりを抑えるマウスピース等の製造に用いられる成形機が使用できる。この成形機では、樹脂板を加熱しながら歯型模型に押圧するため、樹脂板が歯型模型Ｍに密着するため、歯Ｍ１の複雑な形状に、図１に示す歯部１１を成形することができる。
このとき、図３（Ｂ）に示す歯肉溝Ｍ４にも樹脂板が密着するため、図２に示すように歯部１１の歯頸部１１ｂが装着者の歯肉溝Ｓまで延びた状態とすることができる。
【００２４】
次に、歯型模型Ｍが転写された歯科用材料（樹脂板）から、装着者の歯肉溝Ｓまで延びた状態の歯頸部１１ｂを有する歯部１１以外の部分を除去する。そして、端に向かうに従って徐々に薄くなるように、歯頸部１１ｂを研削する。
このようにして、図１に示す装飾用付け歯１０を作製することができる。
【００２５】
この装飾用付け歯１０によれば、図３（Ｂ）に示すように、歯型模型Ｍに歯肉溝Ｍ４を形成して、歯型模型Ｍの歯型形状が歯科用材料に転写され作製されるので、図２に示すように、歯部１１の歯頸部１１ｂが装着者の歯肉溝Ｓまで延びるように形成される。そのため、先端に向かって細くなる歯根部Ｔ２の基端に位置する歯頸部Ｔ１に、溝１１ｓ（図１参照）の間隔が狭くなり、先細りとなった歯部１１の歯頸部１１ｂが接触することで、歯部１１がしっかりと歯Ｔを保持する。従って、装飾用付け歯１０は、歯Ｔから外れ難くすることができる。
また、歯頸部１１ｂが歯肉溝Ｓまで延びるように形成されていても、歯肉Ｇの歯肉溝Ｓが、歯頸部１１ｂが挿入される空間となるため、歯頸部１１ｂが歯肉Ｇを押圧しない。従って、装飾用付け歯１０は、歯肉Ｇに負担を掛けない。
【００２６】
また、図３（Ｃ）に示すように、歯型模型Ｍの歯Ｍ１における歯頸部Ｍ２を切削して細くしているため、図２に示す歯部１１の歯頸部１１ｂは、装着者の歯頸部Ｔ１より細く形成される。従って、歯部１１の歯頸部１１ｂについても、しっかりと歯Ｔの歯頸部Ｔ１を保持するため、外れ難くすることができる。
更に、歯頸部１１ｂは、他の部分より薄く形成されているため装着するときや外すときに撓みやすくすることができるので、脱着が容易である。
【００２７】
従って、装飾用付け歯１０は、歯肉Ｇへの負担を増やすこと無く、フィットさせることができ、外れ難くすることができる。
【００２８】
また、装飾用付け歯１０は、左右１番から４番までの歯に対応させて歯部１１が形成されており、第二小臼歯および大臼歯には被さっていないため、装飾用付け歯１０が咀嚼の邪魔にならない。従って、装飾用付け歯１０を装着した状態で食事することができる。
【００２９】
本実施の形態では、装飾用付け歯１０の歯部１１が覆う歯について、装着者の前歯部と第一小臼歯が揃った健康な状態であったが、例えば、装着者の歯の一部が欠損していたり、歯を損失していたりしていてもよい。
【００３０】
図４（Ａ）に示す歯型模型Ｍ１０の歯Ｍ１１は一部が欠損した欠損歯である。また、図４（Ｂ）に示す歯型模型Ｍ２０の歯Ｍ２１は損失した損失歯である。
このような場合には、図４（Ａ）に示す歯Ｍ１１の欠損部分に、成形材を補い、欠損した歯Ｍ１１を元の形状に復元する。図４（Ａ）では復元部分を点線にて示す。成形材は、例えば、歯型模型Ｍ１０と同じ材料とすることができ、石膏などとすることができる。
欠損歯である歯Ｍ１１を復元して、この歯型模型Ｍ１０を用いて装飾用付け歯を成形することで、元の状態の歯部が形成された装飾用付け歯とすることができる。
【００３１】
また、図４（Ｂ）に示す歯Ｍ２１の欠損部分に、成形材を補い、欠損した歯Ｍ２１を元の形状に復元することができる。図４（Ｂ）では復元部分を点線にて示す。
損失歯である歯Ｍ２１を復元して、この歯型模型Ｍ２０を用いて装飾用付け歯を成形することで、損失歯である歯Ｍ２１に対応する位置に歯を模したダミー部が成形される。従って、健康歯に被さる歯部１１（図１参照）に、ダミー部が連接された装飾用付け歯とすることができる。
【００３２】
このように歯部１１が欠損歯や損失歯を復元した形状に形成されていることで、良好な歯並びとすることができる。
【００３３】
更に、図５に示す歯型模型Ｍ３０は、歯Ｍ３１に成形材を盛って長くしている。図５では延長部分を点線にて示す。そうすることで、装着者の実際の歯より長くなった歯部１１とすることができる。このような装飾用付け歯とすることにより、ハロウィーンの仮装や、演劇の仮装などで使用することができる。
【００３４】
以上、本発明の実施の形態に係る装飾用付け歯を説明したが、本実施の形態に限定されるものではない。
本実施の形態では、装飾用付け歯１０は、上顎の左右１番から４番までを被せるものとしたが、下顎用の装飾用付け歯も同じようにして作製することができる。また、装飾用付け歯１０は、左右１番から４番としているが、臼歯以外の左右１番から３番とすることができる。そうすることで、食物を咀嚼するときの臼歯に被さっていないため、装飾用付け歯が咀嚼の邪魔にならない。そのため、装飾用付け歯を付けても、しっかりと食事を取ることができる。
しかし、装着者が食事をしないのであれば、装飾用付け歯は、小臼歯または大臼歯に被せる歯部を有するものとしてもよい。
【００３５】
更に、装飾用付け歯１０に色つけしたり、マークをつけたり、宝石や身飾品、貴金属などの装飾体を設けたりすることができる。
【産業上の利用可能性】
【００３６】
本発明の装飾用付け歯は、結婚式や披露宴、パーティ、イベントなどに好適である。
【符号の説明】
【００３７】
１０  装飾用付け歯
１１  歯部
１１ａ  歯冠部
１１ｂ  歯頸部
１１ｓ  溝
Ｔ  歯
Ｔ１  歯頸部
Ｔ２  歯根部
Ｇ  歯肉
Ｓ  歯肉溝
Ｍ，Ｍ１０，Ｍ２０，Ｍ３０  歯型模型
Ｍ１，Ｍ１１，Ｍ２１，Ｍ３１  歯
Ｍ２  歯頸部
Ｍ３  歯肉
Ｍ４  歯肉溝
【図１】
2019005469.tif 000003
【図２】
2019005469.tif 000004
【図３】
2019005469.tif 000005
【図４】
2019005469.tif 000006
【図５】
2019005469.tif 000007
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
歯に被さる中空の歯部が連接された装飾用付け歯であって、
前記歯部の歯頸部が装着者の歯肉溝まで延びており、
前記歯頸部は、装着者の歯頸部より細く形成され、他の部分より薄く形成された脱着式の装飾用付け歯。
【請求項２】
前記歯部は、臼歯以外の歯に被せるものである請求項１記載の脱着式の装飾用付け歯。
【請求項３】
前記歯部は、装着者の一部が欠損した歯を復元した形状に形成された請求項１または２記載の脱着式の装飾用付け歯。
【請求項４】
前記歯部には、装着者の損失歯に対応する位置に歯を模したダミー部が連接された請求項１から３のいずれかの項に記載の脱着式の装飾用付け歯。
【請求項５】
前記歯部は、装着者の歯より長く形成された請求項１から４のいずれかの項に記載の脱着式の装飾用付け歯。
【請求項６】
歯に被さる歯部が連接された装飾用付け歯の製造方法であって、
前記装飾用付け歯を装着する装着者から採得した歯型模型に歯肉溝を形成する工程と、
前記歯型模型の歯における歯頸部を切削して細くする工程と、
前記歯型模型の歯型形状を、歯科用材料に転写する工程と、
前記装着者の歯肉溝まで延びた歯頸部が形成された歯部以外の部分を除去する工程と、
前記歯頸部を、端に向かうに従って徐々に薄くなるように研削する工程とを含む脱着式の装飾用付け歯の製造方法。
【手続補正３】
【補正対象書類名】明細書
【補正対象項目名】０００１
【補正方法】変更
【補正の内容】
【０００１】
本発明は、装着者の歯列に被せることで審美性を向上させることができる脱着式の装飾用付け歯およびその製造方法に関するものである。
【手続補正４】
【補正対象書類名】明細書
【補正対象項目名】０００７
【補正方法】変更
【補正の内容】
【０００７】
そこで本発明は、歯肉への負担を増やすこと無く、フィットさせることができ、外れ難くすることができる脱着式の装飾用付け歯およびその製造方法を提供することを目的とする。
【手続補正５】
【補正対象書類名】明細書
【補正対象項目名】０００８
【補正方法】変更
【補正の内容】
【０００８】
本発明は、歯に被さる歯部が連接された装飾用付け歯であって、前記歯部の歯頸部が装着者の歯肉溝まで延びており、前記歯頸部は、装着者の歯頸部より細く形成され、他の部分より薄く形成されたことを特徴とする。
【手続補正６】
【補正対象書類名】明細書
【補正対象項目名】００１５
【補正方法】変更
【補正の内容】
【００１５】
本発明の装飾用付け歯は、歯に被さる歯部が連接された装飾用付け歯の製造方法であって、前記装飾用付け歯を装着する装着者から採得した歯型模型に歯肉溝を形成する工程と、前記歯型模型の歯における歯頸部を切削して細くする工程と、前記歯型模型の歯型形状を、歯科用材料に転写する工程と、前記装着者の歯肉溝まで延びた歯頸部が形成された歯部以外の部分を除去する工程と、前記歯頸部を、端に向かうに従って徐々に薄くなるように研削する工程とを含むことを特徴とする脱着式の装飾用付け歯の製造方法により製造することができる。
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
歯に被さる歯部が連接された装飾用付け歯の製造方法であって、
前記装飾用付け歯を装着する装着者から採得した歯型模型に歯肉溝を形成する工程と、
前記歯型模型の歯における歯頸部を切削して細くする工程と、
前記歯型模型の歯型形状を、歯科用材料に転写する工程と、
前記装着者の歯肉溝まで延びた歯頸部が形成された歯部以外の部分を除去する工程と、
前記歯頸部を、端に向かうに従って徐々に薄くなるように研削する工程とを含む脱着式の装飾用付け歯の製造方法。
【請求項２】
前記歯部は、臼歯以外の歯に被せるものである請求項１記載の脱着式の装飾用付け歯の製造方法。
【請求項３】
前記歯型模型の一部が欠損した歯に成形材を補い、元の形状に復元する請求項１または２記載の脱着式の装飾用付け歯の製造方法。
【請求項４】
前記歯型模型の損失歯に成形材を補い、元の形状に復元する請求項１から３のいずれかの項に記載の脱着式の装飾用付け歯の製造方法。
【請求項５】
前記歯型模型の歯に成形材を補い、前記装着者の実際の歯より長くする請求項１から４のいずれかの項に記載の脱着式の装飾用付け歯の製造方法。
【手続補正３】
【補正対象書類名】明細書
【補正対象項目名】０００１
【補正方法】変更
【補正の内容】
【０００１】
本発明は、装着者の歯列に被せることで審美性を向上させることができる脱着式の装飾用付け歯の製造方法に関するものである。
【手続補正４】
【補正対象書類名】明細書
【補正対象項目名】０００７
【補正方法】変更
【補正の内容】
【０００７】
そこで本発明は、歯肉への負担を増やすこと無く、フィットさせることができ、外れ難くすることができる脱着式の装飾用付け歯の製造方法を提供することを目的とする。
【手続補正５】
【補正対象書類名】明細書
【補正対象項目名】０００８
【補正方法】変更
【補正の内容】
【０００８】
本発明は、歯に被さる歯部が連接された脱着式の装飾用付け歯の製造方法であって、前記装飾用付け歯を装着する装着者から採得した歯型模型に歯肉溝を形成する工程と、前記歯型模型の歯における歯頸部を切削して細くする工程と、前記歯型模型の歯型形状を、歯科用材料に転写する工程と、前記装着者の歯肉溝まで延びた歯頸部が形成された歯部以外の部分を除去する工程と、前記歯頸部を、端に向かうに従って徐々に薄くなるように研削する工程とを含むことを特徴とする。
【手続補正６】
【補正対象書類名】明細書
【補正対象項目名】００１３
【補正方法】変更
【補正の内容】
【００１３】
前記歯型模型の一部が欠損した歯に成形材を補ったり、前記歯型模型の損失歯に成形材を補ったりして、元の形状に復元することで、良好な歯並びとすることができる。
【手続補正７】
【補正対象書類名】明細書
【補正対象項目名】００１４
【補正方法】変更
【補正の内容】
【００１４】
前記歯型模型の歯に成形材を補い、前記装着者の実際の歯より長くすることで、仮装に使用することができる。